(57)【要約】【課題】店舗に来店した客に煩わしい操作を要求することなく、サービス情報により誘導されて客が来店したことを管理することのできるサービスシステムを提供することである。【解決手段】携帯端末と、店舗無線機と、管理装置とを有するサービスシステムであって、前記携帯端末は、サービス情報を取得するサービス情報取得手段（Ｓ１、Ｓ２）と、前記取得された前記サービス情報に基づいた画面が表示部に表示されたときに、当該携帯端末に前記近距離無線通信を開始させる近距離無線通信制御手段（Ｓ４）と、前記近距離無線通信により前記店舗無線機から第１情報を受信したときに、第２情報を前記管理装置に送信する情報送信手段（Ｓ６）とを有し、前記管理装置は、前記携帯端末から前記第２情報を受信したときに、所定の管理処理を実行する管理処理手段（Ｓ９）を有するサービスシステム。【選択図】図３
2016103136.tif 000002
【特許請求の範囲】
【請求項１】
携帯端末と、店舗に設置され、前記携帯端末と近距離無線通信を行う店舗無線機と、前記携帯端末と所定のネットワークを介して通信を行う管理装置とを有するサービスシステムであって、
前記携帯端末は、
店舗にて利用可能なサービスに対応したサービス情報を取得するサービス情報取得手段と、
前記サービス情報取得手段により取得された前記サービス情報に基づいた画面が表示部に表示されたときに、当該携帯端末に前記近距離無線通信を開始させる近距離無線通信制御手段と、
開始された前記近距離無線通信により前記店舗無線機から第１情報を受信したときに、前記所定のネットワークを介して第２情報を前記管理装置に送信する情報送信手段とを有し、
前記管理装置は、
前記携帯端末から前記第２情報を受信したときに、前記店舗無線機の設置された前記店舗でのサービス利用に係る所定の管理処理を実行する管理処理手段を有するサービスシステム。
【請求項２】
前記第１情報は、前記店舗無線機が設置された前記店舗を特定する店舗識別情報を含み、
前記第２情報は、前記店舗識別情報と前記サービス情報とを含み、
前記管理装置における管理処理手段は、店舗と該店舗にて利用可能なサービスとの関係を表す管理情報を用い、前記第２情報に含まれる前記サービス情報が前記店舗識別情報にて特定される前記店舗で利用可能なサービスに対応したものであるか否かを判定する判定手段を有し、
前記判定手段により前記サービス情報が前記店舗にて利用可能なサービスに対応したものであると判定されたときに、前記管理処理を実行する請求項１記載のサービスシステム。
【請求項３】
前記サービス情報は、当該サービス情報に対応する前記サービスの利用可能な店舗を特定する第１店舗識別情報を含み、
前記第１情報は、前記店舗無線機が設置された店舗を特定する第２店舗識別情報を含み、
前記携帯端末は、取得した前記サービス情報に含まれる第１店舗識別情報にて特定される店舗と、受信した前記第１情報に含まれる前記第２店舗識別情報にて特定される店舗とが一致するか否かを判定する判定手段を有し、
該判定手段により前記第１店舗識別情報にて特定される店舗と前記第２店舗識別情報にて特定される店舗とが一致すると判定されたときに、前記情報送信手段が前記第２情報を前記管理装置に送信する請求項１記載のサービスシステム。
【請求項４】
前記管理装置は、前記管理処理手段が前記管理処理を実行した後に、前記携帯端末に宛てて確認情報を送信する確認情報送信手段を有し、
前記携帯端末は、前記管理装置から送信された前記確認情報を受信したときに、該確認情報に基づいた画面を前記表示部に表示させる確認表示制御手段を有する請求項１乃至３のいずれかに記載のサービスシステム。
【請求項５】
携帯端末と、店舗に設置され、前記携帯端末と近距離無線通信を行う店舗無線機と、前記携帯端末と所定のネットワークを介して通信を行う管理装置とを有するサービスシステムにおける前記携帯端末であって、
店舗にて利用可能なサービスに対応したサービス情報を取得するサービス情報取得手段と、
前記サービス情報取得手段により取得された前記サービス情報に基づいた画面が表示部に表示されたときに、当該携帯端末に前記近距離無線通信を開始させる近距離無線通信制御手段と、
開始された前記近距離無線通信により前記店舗無線機から第１情報を受信したときに、前記所定のネットワークを介して第２情報を前記管理装置に送信する情報送信手段とを有する携帯端末。
【請求項６】
前記サービス情報は、当該サービス情報に対応する前記サービスの利用可能な店舗を特定する第１店舗識別情報を含み、
前記第１情報は、前記店舗無線機が設置された店舗を特定する第２店舗識別情報を含み、
取得した前記サービス情報に含まれる第１店舗識別情報にて特定される店舗と、受信した前記第１情報に含まれる前記第２店舗識別情報にて特定される店舗とが一致するか否かを判定する判定手段を有し、
該判定手段により前記第１店舗識別情報にて特定される店舗と前記第２店舗識別情報にて特定される店舗とが一致すると判定されたときに、前記情報送信手段が前記第２情報を前記管理装置に送信する請求項５記載の携帯端末。
【請求項７】
携帯端末と、店舗に設置され、前記携帯端末と近距離無線通信を行う店舗無線機と、前記携帯端末と所定のネットワークを介して通信を行う管理装置とを有するサービスシステムにおける前記携帯端末での処理をコンピュータに行わせるプログラムであって、
店舗にて利用可能なサービスに対応したサービス情報に基づいた画面が表示部に表示されたときに、当該携帯端末に前記近距離無線通信を開始させる近距離無線通信制御ステップと、
開始された前記近距離無線通信により前記店舗無線機から第１情報を受信したときに、前記所定のネットワークを介して第２情報を前記管理装置に送信する情報送信ステップとを前記コンピュータに行わせるプログラム。
【請求項８】
前記サービス情報は、当該サービス情報に対応する前記サービスの利用可能な店舗を特定する第１店舗識別情報を含み、
前記第１情報は、前記店舗無線機が設置された店舗を特定する第２店舗識別情報を含み、
取得した前記サービス情報に含まれる前記第１店舗識別情報にて特定される店舗と、受信した前記第１情報に含まれる前記第２店舗識別情報にて特定される店舗とが一致するか否かを判定する判定ステップと、
前記判定ステップにより第１店舗識別情報にて特定される店舗と前記第２店舗識別情報にて特定される店舗とが一致すると判定されたときに、前記第２情報を前記管理装置に送信する前記情報送信ステップとを前記コンピュータに行わせる請求項７記載のプログラム。
【請求項９】
携帯端末と、管理装置と、店舗に設置され、前記携帯端末と近距離無線通信を行う一方、前記管理装置と所定のネットワークを介して通信を行う店舗端末とを有するサービスシステムであって、
前記携帯端末は、
店舗にて利用可能なサービスに対応したサービス情報を取得するサービス情報取得手段と、
前記サービス情報取得手段により取得された前記サービス情報に基づいた画面が表示部に表示されたときに、前記近距離無線通信により前記店舗端末に第１情報を送信する第１情報送信手段とを有し、
前記店舗端末は、
前記近距離無線通信により前記携帯端末から前記第１情報を受信したときに、前記所定のネットワークを介して第２情報を前記管理装置に送信する第２情報送信手段を有し、
前記管理装置は、
前記店舗端末から前記第２情報を受信したときに、当該店舗端末の設置された前記店舗でのサービス利用に係る所定の管理処理を実行する管理処理手段を有するサービスシステム。
【請求項１０】
前記サービス情報は、当該サービス情報に対応する前記サービスの利用可能な店舗を特定する第１店舗識別情報を含み、
前記第１情報は、前記第１店舗識別情報を含み、
前記店舗端末は、受信された前記第１情報に含まれる前記第１店舗識別情報にて特定される店舗と、予め得られた当該店舗端末が設置された店舗を特定する第２店舗識別情報にて特定される当該店舗が一致するか否かを判定する判定手段を有し、
該判定手段により前記第１店舗識別情報にて特定される店舗と前記第２店舗識別情報にて特定される店舗とが一致すると判定されたときに、前記第２情報送信手段が前記第２情報を送信する請求項９記載のサービスシステム。
【請求項１１】
前記第１情報は、前記サービス情報を含み、
前記第２情報は、前記サービス情報及び前記店舗端末が設置された店舗を特定する店舗識別情報を含み、
前記管理装置における管理処理手段は、前記店舗端末から前記第２情報を受信したときに、店舗と該店舗にて利用可能なサービスとの関係を表す管理情報を用い、前記第２情報に含まれる前記サービス情報が前記店舗識別情報にて特定される店舗で利用可能なサービスに対応したものであるか否かを判定する判定手段を有し、
該判定手段により前記サービス情報が前記店舗識別情報にて特定される店舗にて利用可能なサービスに対応していると判定されたときに、前記管理処理を実行する請求項９記載のサービスシステム。
【請求項１２】
前記管理装置は、前記管理手段が前記管理処理を実行した後に、前記携帯端末に宛てて確認情報を送信する確認情報送信手段を有し、
前記携帯端末は、前記管理装置から送信された前記確認情報を受信したときに、該確認情報に基づいた画面を前記表示部に表示させる確認表示制御手段を有する請求項９乃至１１のいずれかに記載のサービスシステム。
【請求項１３】
携帯端末と、管理装置と、店舗に設置され、前記携帯端末と近距離無線通信を行う一方、前記管理装置と所定のネットワークを介して通信を行う店舗端末とを有するサービスシステムにおける前記携帯端末であって、
店舗にて利用可能なサービスに対応したサービス情報を取得するサービス情報取得手段と、
前記サービス情報取得手段により取得された前記サービス情報に基づいた画面が表示部に表示されたときに、前記近距離無線通信により前記店舗端末に第１情報を送信する情報送信手段とを有する携帯端末。
【請求項１４】
携帯端末と、管理装置と、店舗に設置され、前記携帯端末と近距離無線通信を行う一方、前記管理装置と所定のネットワークを介して通信を行う店舗端末とを有するサービスシステムにおける前記店舗端末であって、
店舗にて利用可能なサービスに対応したサービス情報に基づいた画面の表示がなされた携帯端末から前記近距離通信により第１情報を受信したときに、前記所定のネットワークを介して第２情報を前記管理装置に送信する情報送信手段を有する店舗端末。
【請求項１５】
前記サービス情報は、当該サービス情報に対応する前記サービスの利用可能な店舗を特定する第１店舗識別情報を含み、
前記第１情報は、前記第１店舗識別情報を含み、
受信された前記第１情報に含まれた前記第１店舗識別情報にて特定される店舗と、予め得られた当該店舗端末が設置された店舗を特定する第２店舗識別情報にて特定される当該店舗とが一致するか否かを判定する判定手段を有し、
該判定手段により前記第１店舗識別情報にて特定される店舗と前記第２店舗識別情報にて特定される店舗とが一致すると判定されたときに、前記情報送信手段が前記第２情報を送信する請求項１４記載の店舗端末。
【請求項１６】
携帯端末と、管理装置と、店舗に設置され、前記携帯端末と近距離無線通信を行う一方、前記管理装置と所定のネットワークを介して通信を行う店舗端末とを有するサービスシステムにおける前記携帯端末での処理をコンピュータに行わせるプログラムであって、
店舗にて利用可能なサービスに対応したサービス情報に基づいた画面が操作部の操作に従って表示部に表示されたときに、前記近距離無線通信により前記店舗端末に第１情報を送信する情報送信ステップを前記コンピュータに行わせるプログラム。
【発明の詳細な説明】
【技術分野】
【０００１】
本発明は、店舗にて料金割引等のサービスを受けることのできるクーポンを表すクーポン情報等、店舗にて利用可能なサービスに対応したサービス情報を利用したサービスシステムに関する。
【背景技術】
【０００２】
従来、特許文献１に記載されたクーポンシステム（サービスシステム）が知られている。このクーポンシステムでは、店舗に来た客によって操作される携帯端末が、所定のウェブページから当該店舗で受けることのできる料金割引等のサービスを表すクーポン情報（サービス情報）を取得して、そのクーポン情報に基づいたクーポン画面を表示部に表示させる。そして、客が携帯端末の表示部に表示されたクーポン画面を提示し、それを店員が確認した後、更に、その客がクーポン画面に含まれる所定のボタン（クーポンをわたす）を操作すると、クーポン情報が使用されたとして、店員は、当該クーポン画面を提示した客に対してそのクーポン画面に表われる料金割引等のサービスを提供する。一方、クーポン画面に含まれる前記ボタンの操作により、携帯端末からクーポン情報を管理するサーバ（クーポン用サーバ）にクーポン情報が使用されたことが通知され、そのサーバは、対応するクーポン情報についての管理処理を行う。
【０００３】
このようなクーポンシステムによれば、店舗は、クーポン発行作業を行うことなく、クーポンによって集客することができる。また、クーポン情報の管理会社は、クーポンを利用した客が所持する携帯端末からクーポン情報が使用されたことがサーバに通知されるので、クーポン情報の使用に応じた管理を行うことができる。
【先行技術文献】
【特許文献】
【０００４】
【特許文献１】特開２００３−１１５００２号公報
【発明の概要】
【発明が解決しようとする課題】
【０００５】
しかしながら、前述したクーポンシステム（サービスシステム）では、客が携帯端末の表示部にクーポン画面を表示させた後に、その客が来店してクーポンを利用したことを管理装置（クーポン用サーバ）に伝えるために、その客が、携帯端末の表示部に表示されたクーポン画面のボタンを操作するという特別な操作を行わなければならず、その操作が煩わしい。
【０００６】
本発明はこのような事情に鑑みてなされたもので、店舗に来店した客に煩わしい操作を要求することなく、サービス情報により誘導されて客が来店したことを管理することのできるサービスシステムを提供するものである。
【課題を解決するための手段】
【０００７】
本発明に係るサービスシステムは、携帯端末と、店舗に設置され、前記携帯端末と近距離無線通信を行う店舗無線機と、前記携帯端末と所定のネットワークを介して通信を行う管理装置とを有するサービスシステムであって、前記携帯端末は、店舗にて利用可能なサービスに対応したサービス情報を取得するサービス情報取得手段と、前記サービス情報取得手段により取得された前記サービス情報に基づいた画面が表示部に表示されたときに、当該携帯端末に前記近距離無線通信を開始させる近距離無線通信制御手段と、開始された前記近距離無線通信により前記店舗無線機から第１情報を受信したときに、前記所定のネットワークを介して第２情報を前記管理装置に送信する情報送信手段とを有し、前記管理装置は、前記携帯端末から前記第２情報を受信したときに、前記店舗無線機の設置された前記店舗でのサービス利用に係る所定の管理処理を実行する管理処理手段を有する構成となる。
【０００８】
このような構成により、サービス情報を取得した携帯端末の表示部に該サービス情報に基づいた画面が、店舗に設置された店舗無線機の近傍において、表示されると、携帯端末は、近距離無線通信を開始する。そして、携帯端末は、その近距離無線通信により店舗無線機からの第１情報を受信すると、所定のネットワークを介して第２情報を管理装置に送信する。管理装置は、前記第２情報を受信すると、前記店舗無線機が設置された店舗でのサービス利用に係る所定の管理処理を実行する。
【０００９】
管理装置が第２情報を受信するということは、店舗無線機から第１情報を近距離無線通信によって受信できるほどの範囲にいる客が所持する携帯端末の表示部にサービス情報に基づいた画面が表示されたことを意味する。即ち、管理装置が前記第２情報を受信するということは、サービス情報に対応したサービスを受けようとする客が店舗無線機の設置された店舗に来店したことを意味する。従って、前記第２情報を受信した管理装置は、前記店舗無線機の設置された前記店舗にサービス情報に対応したサービスを受けようとする客が来店したことに起因して前記管理処理を行うことになる。
【００１０】
本発明に係るサービスシステムにおいて、前記第１情報は、前記店舗無線機が設置された前記店舗を特定する店舗識別情報を含み、前記第２情報は、前記店舗識別情報と前記サービス情報とを含み、前記管理装置における管理処理手段は、店舗と該店舗にて利用可能なサービスとの関係を表す管理情報を用い、前記第２情報に含まれる前記サービス情報が前記店舗識別情報にて特定される前記店舗で利用可能なサービスに対応したものであるか否かを判定する判定手段を有し、前記判定手段により前記サービス情報が前記店舗にて利用可能なサービスに対応したものであると判定されたときに、前記管理処理を実行する構成とすることができる。
【００１１】
このような構成により、サービス情報に基づいた画面が表示部に表示された携帯端末が近距離通信によって店舗無線機から店舗識別情報を含む第１情報を受信すると、当該携帯端末は、所定のネットワークを介して、前記第１情報に含まれる店舗識別情報と前記サービス情報とを含む第２情報を管理装置に送信する。そして、第２情報を受信した管理装置は、店舗と該店舗にて利用可能なサービスとの関係を表す管理情報を用いて、前記第２情報に含まれる前記サービス情報が前記店舗識別情報にて特定される店舗で可能なサービスに対応したものであるか否かを判定する。管理装置は、前記サービス情報が前記店舗にて利用可能なサービスに対応したものであると判定されたときに、前記管理処理を実行する。
【００１２】
また、本発明に係るサービスシステムにおいて、前記サービス情報は、当該サービス情報に対応する前記サービスの利用可能な店舗を特定する第１店舗識別情報を含み、前記第１情報は、前記店舗無線機が設置された店舗を特定する第２店舗識別情報を含み、前記携帯端末は、取得した前記サービス情報に含まれる第１店舗識別情報にて特定される店舗と、受信した前記第１情報に含まれる前記第２店舗識別情報にて特定される店舗とが一致するか否かを判定する判定手段を有し、該判定手段により前記第１店舗識別情報にて特定される店舗と前記第２店舗識別情報にて特定される店舗とが一致すると判定されたときに、前記情報送信手段が前記第２情報を前記管理装置に送信する構成とすることができる。
【００１３】
このような構成により、サービス情報に対応するサービスの利用可能な店舗を特定する第１店舗識別情報を含む当該サービス情報に基づいた画面が表示部に表示された携帯端末が近距離無線通信によって店舗無線機が設置された店舗を特定する第２店舗識別情報を含む第１情報を当該店舗無線機から受信すると、当該携帯端末は、前記第１店舗識別情報にて特定される店舗と前記第２店舗識別情報にて特定される店舗とが一致するか否かを判定する。そして、前記第１店舗識別情報にて特定される店舗と前記第２店舗識別情報にて特定される店舗とが一致すると、所定のネットワークを介して前記管理装置に第２情報を送信する。
【００１４】
本発明に係るサービスシステムにおいて、前記管理装置は、前記管理処理手段が前記管理処理を実行した後に、前記携帯端末に宛てて確認情報を送信する確認情報送信手段を有し、前記携帯端末は、前記管理装置から送信された前記確認情報を受信したときに、該確認情報に基づいた画面を前記表示部に表示させる確認表示制御手段を有する構成とすることができる。
【００１５】
このような構成により、管理装置は、表示部に前記サービス情報に基づいた画面が表示された携帯端末から第２情報を受信して前記管理処理を実行すると、その後、前記携帯端末に宛てて確認情報を送信する。携帯端末は、前記確認情報を受信すると、表示部に前記確認情報に基づいた画面を表示する。これにより、店舗無線機の設置された店舗に来店した該携帯端末の所持者、即ち、客は、確認情報に基づいた画面を見ることにより、当該サービスシステムが正常に動作していることを知ることができる。
【００１６】
本発明に係る携帯端末は、携帯端末と、店舗に設置され、前記携帯端末と近距離無線通信を行う店舗無線機と、前記携帯端末と所定のネットワークを介して通信を行う管理装置とを有するサービスシステムにおける前記携帯端末であって、店舗にて利用可能なサービスに対応したサービス情報を取得するサービス情報取得手段と、前記サービス情報取得手段により取得された前記サービス情報に基づいた画面が表示部に表示されたときに、当該携帯端末に前記近距離無線通信を開始させる近距離無線通信制御手段と、開始された前記近距離無線通信により前記店舗無線機から第１情報を受信したときに、前記所定のネットワークを介して第２情報を前記管理装置に送信する情報送信手段とを有する構成となる。
【００１７】
また、本発明に係るプログラムは、携帯端末と、店舗に設置され、前記携帯端末と近距離無線通信を行う店舗無線機と、前記携帯端末と所定のネットワークを介して通信を行う管理装置とを有するサービスシステムにおける前記携帯端末での処理をコンピュータに行わせるプログラムであって、店舗にて利用可能なサービスに対応したサービス情報に基づいた画面が表示部に表示されたときに、当該携帯端末に前記近距離無線通信を開始させる近距離無線通信制御ステップと、開始された前記近距離無線通信により前記店舗無線機から第１情報を受信したときに、前記所定のネットワークを介して第２情報を前記管理装置に送信する情報送信ステップとを前記コンピュータに行わせるように構成される。
【００１８】
本発明に係る他のサービスシステムは、携帯端末と、管理装置と、店舗に設置され、前記携帯端末と近距離無線通信を行う一方、前記管理装置と所定のネットワークを介して通信を行う店舗端末とを有するサービスシステムであって、前記携帯端末は、店舗にて利用可能なサービスに対応したサービス情報を取得するサービス情報取得手段と、前記サービス情報取得手段により取得された前記サービス情報に基づいた画面が表示部に表示されたときに、前記近距離無線通信により前記店舗端末に第１情報を送信する第１情報送信手段とを有し、前記店舗端末は、前記近距離無線通信により前記携帯端末から前記第１情報を受信したときに、前記所定のネットワークを介して第２情報を前記管理装置に送信する第２情報送信手段を有し、前記管理装置は、前記店舗端末から前記第２情報を受信したときに、当該店舗端末の設置された前記店舗でのサービス利用に係る所定の管理処理を実行する管理処理手段を有する構成となる。
【００１９】
このような構成により、サービス情報を取得した携帯端末の表示部に該サービス情報に基づいた画面が、店舗に設置された店舗端末の近傍において表示されると、携帯端末は、近距離無線通信により店舗端末に第１情報を送信する。店舗端末は、携帯端末から第１情報を受信すると、所定のネットワークを介して第２情報を管理装置に送信する。管理装置は、第２情報を受信すると、前記店舗端末が設置された店舗でのサービス利用に係る所定の管理処理を実行する。
【００２０】
管理装置が第２情報を受信するということは、店舗端末から近距離無線通信ができるほどの範囲にいる客が所持している携帯端末の表示部にサービス情報に基づいた画面が表示されたことを意味する。即ち、管理装置が前記第２情報を受信するということは、サービス情報に対応したサービスを受けようとする客が店舗端末の設置された店舗に来店したことを意味する。従って、前記第２情報を受信した管理装置は、前記店舗端末の設置された前記店舗にサービス情報に対応したサービスを受けようとする客が来店したことに起因して前記管理処理を行うことになる。
【００２１】
本発明に係るサービスシステムにおいて、前記サービス情報は、当該サービス情報に対応する前記サービスの利用可能な店舗を特定する第１店舗識別情報を含み、前記第１情報は、前記第１店舗識別情報を含み、前記店舗端末は、受信された前記第１情報に含まれた前記第１店舗識別情報にて特定される店舗と、予め得られた当該店舗端末が設置された店舗を特定する第２店舗識別情報にて特定される当該店舗が一致するか否かを判定する判定手段を有し、該判定手段により前記第１店舗識別情報にて特定される店舗と前記第２店舗識別情報にて特定される店舗とが一致すると判定されたときに、前記第２情報送信手段が前記第２情報を送信する構成となる。
【００２２】
このような構成により、サービス情報に対応するサービスの利用可能な店舗を特定する第１店舗識別情報を含む当該サービス情報に基づいた画面が表示部に表示された携帯端末から、店舗端末が、近距離通信によって前記第１店舗識別情報を含む第１情報を受信する。そして、店舗端末は、受信した第１情報に含まれ前記第１店舗識別情報にて特定される当該店舗と、当該店舗端末が設置された店舗を特定する第２店舗識別情報にて特定される当該店舗とが一致するか否かを判定する。前記第１店舗識別情報にて特定される店舗と前記第２店舗識別情報にて特定される店舗とが一致すると、店舗端末は、管理装置に第２情報を送信する。
【００２３】
また、本発明に係るサービスシステムにおいて、前記第１情報は、前記サービス情報を含み、前記第２情報は、前記サービス情報及び前記店舗端末が設置された店舗を特定する店舗識別情報を含み、前記管理装置における管理処理手段は、前記店舗端末から前記第２情報を受信したときに、店舗と該店舗にて利用可能なサービスとの関係を表す管理情報を用い、前記第２情報に含まれる前記サービス情報が前記店舗識別情報にて特定される店舗で利用可能なサービスに対応したものであるか否かを判定する判定手段を有し、該判定手段により前記サービス情報が前記店舗識別情報にて特定される店舗にて利用可能なサービスに対応していると判定されたときに、前記管理処理を実行する構成とすることができる。
【００２４】
このような構成により、サービス情報に基づいた画面が表示部に表示された携帯端末から、当該サービス情報を含む第１情報が近距離無線通信により店舗端末に送信されると、該店舗端末は、所定のネットワークを介して、前記サービス情報及び当該店舗端末が設置された店舗を特定する店舗識別情報を含む第２情報を管理装置に送信する。第２情報を受信した管理装置は、店舗と該店舗にて利用可能なサービスとの関係を表す管理情報を用いて、前記第２情報に含まれる前記サービス情報が前記店舗識別情報にて特定される店舗で利用可能なサービスに対応したものであるか否かを判定する。そして、前記サービス情報が前記店舗識別情報にて特定される店舗にて利用可能なサービスに対応していると判定されると、前記管理処理が実行される。
【００２５】
本発明に係るサービスシステムにおいて、前記管理装置は、前記管理手段が前記管理処理を実行した後に、前記携帯端末に宛てて確認情報を送信する確認情報送信手段を有し、前記携帯端末は、前記管理装置から送信された前記確認情報を受信したときに、該確認情報に基づいた画面を前記表示部に表示させる確認表示制御手段を有する構成とすることができる。
【００２６】
このような構成により、管理装置は、店舗端末から第２情報を受信して前記管理処理を実行すると、その後、前記携帯端末に宛てて確認情報を送信する。携帯端末は、前記確認情報を受信すると、表示部に前記確認情報に基づいた画面を表示する。これにより、店舗端末の設置された店舗に来店した該携帯端末の所持者、即ち、客は、確認情報に基づいた画面を見ることにより、当該サービスシステムが正常に動作していることを知ることができる。
【００２７】
本発明に係る携帯端末は、携帯端末と、管理装置と、店舗に設置され、前記携帯端末と近距離無線通信を行う一方、前記管理装置と所定のネットワークを介して通信を行う店舗端末とを有するサービスシステムにおける前記携帯端末であって、店舗にて利用可能なサービスに対応したサービス情報を取得するサービス情報取得手段と、前記サービス情報取得手段により取得された前記サービス情報に基づいた画面が表示部に表示されたときに、前記近距離無線通信により前記店舗端末に第１情報を送信する情報送信手段とを有する構成となる。
【００２８】
本発明に係る店舗端末は、携帯端末と、管理装置と、店舗に設置され、前記携帯端末と近距離無線通信を行う一方、前記管理装置と所定のネットワークを介して通信を行う店舗端末とを有するサービスシステムにおける前記店舗端末であって、店舗にて利用可能なサービスに対応したサービス情報に基づいた画面の表示がなされた携帯端末から前記近距離通信により第１情報を受信したときに、前記所定のネットワークを介して第２情報を前記管理装置に送信する情報送信手段を有する構成となる。
【００２９】
本発明に係るプログラムは、携帯端末と、管理装置と、店舗に設置され、前記携帯端末と近距離無線通信を行う一方、前記管理装置と所定のネットワークを介して通信を行う店舗端末とを有するサービスシステムにおける前記携帯端末での処理をコンピュータに行わせるプログラムであって、店舗にて利用可能なサービスに対応したサービス情報に基づいた画面が操作部の操作に従って表示部に表示されたときに、前記近距離無線通信により前記店舗端末に第１情報を送信する情報送信ステップを前記コンピュータに行わせるように構成される。
【発明の効果】
【００３０】
本発明に係るサービスシステムによれば、店舗に来店した客が、携帯端末の表示部にサービス情報に基づいた画面を表示させると、管理装置により前記携帯端末と近距離通信を行う店舗無線機または店舗端末が設置された店舗に前記サービス情報に対応したサービスを受けようとする客が来店したことに起因して所定の管理処理が行われるので、携帯端末の表示部に表示されたサービス情報に基づいた画面に含まれるボタンの操作等の煩わしい操作を客に要求することなく、前記サービス情報により誘導されて客が来店したことを管理することができる。
【００３１】
また、本発明に係る携帯端末によれば、前記サービスシステムに含まれる携帯端末を実現させることができ、本発明に係るプログラムによれば、当該携帯端末の機能を実現させることができる。更に、発明に係る店舗端末によれば、前記サービスシステムに含まれる店舗端末を実現させることができる。
【図面の簡単な説明】
【００３２】
【図１】本発明の第１の実施の形態に係るサービスシステムの構成を示す図である。
【図２Ａ】管理サーバ（管理装置）が有するクーポン情報管理テーブル（管理情報）の一例を示す図である。
【図２Ｂ】管理サーバが有するクーポン利用管理テーブルの一例を示す図である。
【図３】図１に示すサービスシステムの第１の動作例の例を示すシーケンス図である。
【図４】携帯端末の表示部に表示さえるクーポン画面の一例を示す図である。
【図５】図１に示す携帯端末が店舗無線機の設置された店舗の外にある場合の当該携帯端末の動作を示すシーケンス図である。
【図６】図１に示すサービスシステムの第２の動作例を示すシーケンス図である。
【図７】図１に示すサービスシステムの動作の第３の例を示すシーケンス図である。
【図８Ａ】携帯端末に表示されるクーポン利用確認画面を示す図である。
【図８Ｂ】携帯端末に表示されるクーポンエラー画面を示す図である。
【図９】図１に示すサービスシステムの第３の動作例を示すシーケンス図である。
【図１０】本発明の第２の実施の形態に係るサービスシステムの構成を示す図である。
【図１１】図１０に示すサービスシステムの第１の動作例を示すシーケンス図である。
【図１２】図１０に示すサービスシステムの第２の動作例を示すシーケンス図である。
【発明を実施するための形態】
【００３３】
以下、本発明の実施の形態について図面を用いて説明する。
【００３４】
本発明の第１の実施の形態に係るサービスシステムは、図１に示すように構成される。
【００３５】
図１において、このサービスシステムは、スマートフォン等の携帯端末１０、店舗Ｓ内の所定の場所（例えば、会計場所の近傍）に設置された店舗無線機２０及び管理サーバ５０（管理装置）から構成される。携帯端末１０と店舗無線機２０とは、ブルートゥース（登録商標）による近距離無線通信を行うことができる。当該ブルートゥース（登録商標）による近距離無線通信では、携帯端末１０がマスター（またはセントラル）として機能し、店舗無線機２０がスレーブ（またはペリフェラル）として機能する。携帯端末１０は、所定の移動体通信網（例えば、無線ＬＡＮ）のホットスポット１１０及びインターネット等のネットワークを介して管理サーバ５０との通信が可能である。携帯端末１０は、当該サービスシステムに適合したアプリケーションソフトウェア（プログラム）に従って動作する。
【００３６】
管理サーバ５０は、例えば、店舗にて受けることのできる料金割引等のサービスに対応したクーポン情報（サービス情報）の発行及び管理を行う管理会社により運営される。管理サーバ５０は、例えば、図２Ａに示すようなクーポン情報管理テーブル及び図２Ｂに示すようなクーポン利用管理テーブルを有している。クーポン情報管理テーブル（図２Ａ参照）は、管理サーバ５０から提供可能なクーポン情報を示しており、そのクーポン情報は、当該クーポン情報を特定する「クーポンＩＤ」、そのクーポン情報に対応する「サービス内容」、そのサービス内容でのサービスを提供する店舗の「店舗名」及び該店舗を特定する「店舗ＩＤ」を含む。また、クーポン利用管理テーブル（図２Ｂ参照）は、クーポン情報を特定する「クーポンＩＤ」と、当該クーポン情報の「利用回数ｎ」及び当該クーポン情報の「利用期限ｙ／ｍ／ｄ」との関係、即ち、クーポンＩＤで特定されるクーポン情報の利用回数ｎとその利用期限ｙ／ｍ／ｄを示している。なお、管理サーバ５０は、利用期限に達したクーポン情報については、クーポン情報管理テーブル（図２Ａ参照）及びクーポン利用管理テーブル（図２Ｂ参照）から削除する。
【００３７】
ところで、ある目的（例えば、飲食）のために店舗に行くつもりの者は、携帯端末１０によって管理サーバ５０が提供するクーポンサイトにアクセスし、料金割引等のサービスをクーポンによって受けられる店舗を探すことができる。例えば、そのようにして探した店舗に来店して、例えば、目的である飲食等を終えた客は、図１に示すサービスシステムを利用することができる。このサービスシステムは、図３に示す手順に従って動作する。
【００３８】
図３において、例えば、料金を支払う際の客の操作により、携帯端末１０は、管理サーバ５０が提供するクーポンサイトにアクセスし、当該店舗Ｓにて受けることができるサービスに対応したクーポン情報（サービス情報）を取得する（Ｓ１、Ｓ２：サービス情報取得手段）。携帯端末１０は、取得したクーポン情報（少なくとも、クーポンＩＤ、店舗名、サービス内容を含む）に基づいたクーポン画面を、例えば、図４に示すように、表示部に表示させる（Ｓ３）。
【００３９】
そして、その客が会計を担当する店員に、携帯端末１０の表示部に表示されたクーポン画面を提示すると、その店員は、その客への料金の請求において、クーポン画面に表われたたクーポン情報に対応した料金割引等のサービス（図４に示すクーポン画面の場合、「２名以上ご利用で料金10% off」）を与える。即ち、その客は、支払うべき料金から所定の金額が割り引かれる等のサービスを受ける。
【００４０】
一方、店舗Ｓの会計場所の近傍に設置された店舗無線機２０は、ブルートゥース（登録商標）による近距離無線通信により、店舗無線機２０が設置された当該店舗Ｓを特定する店舗ＩＤ（第１情報）を所定の周期で送信している。このような状況において、携帯端末１０は、表示部に前記クーポン画面（図４参照）を表示させると（Ｓ３）、ブルートゥース（登録商標）による近距離無線通信を開始する（Ｓ４：近距離無線通信制御手段）。そして、携帯端末１０は、ブルートゥース（登録商標）による近距離無線通信により店舗無線機２０から送信される店舗ＩＤ（第１情報）を受信すると（Ｓ５）、クーポン情報（少なくともクーポンＩＤを含む）と、店舗無線機２０から受信した店舗ＩＤとを含む情報（第２情報）を移動体通信網（ホットスポット１１０を含む）及びインターネット１００を介して管理サーバ５０に送信する（Ｓ６：情報送信手段）。その後、携帯端末１０は、ブルートゥース（登録商標）による近距離無線通信を終了させるとともに、表示部でのクーポン画面の表示も終了させる（Ｓ７）。
【００４１】
前記クーポン情報及び前記店舗ＩＤを受信した管理サーバ５０は、前記クーポン情報管理テーブル（図２Ａ参照）において、前記クーポン情報に含まれるクーポンＩＤと前記店舗ＩＤとが対応するか否かを判定することにより、前記クーポンＩＤで特定されるクーポン情報が前記店舗ＩＤで特定される店舗で利用可能なサービスに対応したものであるか否かを判定する（Ｓ８：判定手段）。前記クーポン情報管理テーブル（図２Ａ参照）において、前記クーポンＩＤと前記店舗ＩＤとが対応する、即ち、前記クーポンＩＤで特定されるクーポン情報が前記店舗ＩＤで特定される店舗で利用可能なサービスであると判定すると（Ｓ８でＹＥＳ）、管理サーバ５０は、クーポン利用管理テーブル（図２Ｂ参照）において、前記クーポンＩＤに対応するカウント値ｎを＋１だけインクリメントする（Ｓ９：管理処理手段）。
【００４２】
なお、携帯端末１０が、店舗無線機２０とブルートゥース（登録商標）による近距離無線通信を行うことのできない場合、即ち、携帯端末１０を所持する者が前記店舗Ｓに来店していない場合等、前記クーポンサイトにアクセスしてクーポン情報を取得した携帯端末１０は、図５に示すように、表示部にクーポン画面を表示させて（Ｓ３）、ブルートゥース（登録商標）による近距離無線通信を開始する（Ｓ４）。しかし、店舗無線機２０から店舗ＩＤ（第１情報）を受信することができないので、携帯端末１０は、所定時間経過後にブルートゥース（登録商標）による近距離無線通信を終了させ、管理サーバ５０でのクーポン情報の利用回数ｎのカウントアップに係る処理（管理処理）は実行されない。
【００４３】
また、例えば、客が、来店した店舗と異なる店舗にて提供されるサービスに対応したクーポン情報をクーポンサイトから誤って取得し、そのクーポン情報に基づいたクーポン画面を携帯端末１０の表示部に表示させて、店員に提示した場合、店員は、そのクーポン画面が当該店舗の提供するサービスに対応するものではないとして、料金割引等のサービスをすることができない旨をその客に伝える。一方、管理サーバ５０は、クーポン情報管理テーブル（図２Ａ参照）において、前記クーポン情報に含まれるクーポンＩＤと店舗無線機２０から送信された店舗ＩＤとが対応しない、即ち、前記クーポンＩＤで特定されるクーポン情報が前記店舗ＩＤで特定される店舗で利用可能なサービスに対応しないと判定するので（Ｓ８でＮＯ）、クーポン情報の利用回数ｎのカウントアップに係る処理（管理処理）を実行しない。
【００４４】
上述したようなサービスシステムによれば、店舗Ｓに来店した客は、携帯端末１０の表示部に表示されたクーポン画面を店員に提示することで、クーポン画面に含まれるボタン等の特別の操作を行うことなく、そのクーポン画面に表われる料金割引などのサービスを受けることができる。店舗Ｓは、自らクーポン情報の発行及び管理を行わなくてもクーポン情報による集客が可能になる。
【００４５】
また、管理サーバ５０がクーポン情報（少なくともクーポンＩＤを含む）及び店舗無線機２０から送信された店舗ＩＤを含む情報（第２情報）を受信するということは、店舗Ｓに設置された店舗無線機２０から店舗ＩＤに係る情報（第１情報）をブルートゥース（登録商標）による近距離無線通信によって受信できるほどの範囲にいる客が所持する携帯端末１０の表示部にクーポン画面（図４参照）が表示されたことを意味する。即ち、管理サーバ５０が前記クーポン情報及び前記店舗ＩＤを含む情報（第２情報）を受信するということは、クーポン情報に対応したサービスを受けようとする客が店舗無線機２０の設置された店舗に来店したことを意味する。従って、管理サーバ５０におけるクーポン情報の利用回数ｎのカウントアップに係る処理（管理処理）は、店舗無線機２０が設置された店舗Ｓに前記クーポン情報に対応したサービスを受けようとする客が来店したことに起因したものとなる。よって、携帯端末１０のクーポン画面に含まれるボタンの操作等の煩わしい操作を客に要求することなく、管理サーバ５０は、クーポンＩＤにて特定される各クーポン情報の利用回数、即ち、実際に客を店舗に誘導する効果のあるクーポン情報の利用回数を確実に管理することができでる。そして、例えば、管理サーバ５０を運営する管理会社は、各クーポン情報の利用回数に基づいて、各店舗に対してクーポン情報の発行及び管理についての課金を行うことができる。
【００４６】
なお、客が誤ったクーポン情報に基づいたクーポン画面を携帯端末１０の表示部に表示させて店員に提示することが稀であることを前提として、管理サーバ５０における、前記クーポンＩＤで特定されるクーポン情報が前記店舗ＩＤで特定される店舗で利用可能なサービスであるか否かを判定する処理（Ｓ８）を省略することができる。この場合、実際に客が来店していない店舗にて提供されるサービスに対応したクーポン情報の利用回数が僅かではあるが増加してしまうので、管理会社において、提示間違いの発生回数に関する統計的データ等に基づいて、各クーポン情報の利用回数を補正（一律、所定回数減ずる等）することもできる。また、この場合、店舗無線機２０は、ブルートゥース（登録商標）による近距離無線通信によって、店舗ＩＤではなく、予め定めた任意の情報（第１情報）を送信するようにしてもよい。
【００４７】
図１に示すサービスシステムは、図３に示す手順に代えて、図６に示す手順に従って動作することも可能である。図６に示す手順は、携帯端末１０が、クーポン情報に対応したサービスを提供する店舗と客が来店した店舗とが一致するか否かを判定することを特徴としている。
【００４８】
図６において、前述したの（図３におけるＳ１〜Ｓ４）と同様に、携帯端末１０は、客の操作により、クーポン情報（クーポンＩＤ、サービス内容、店舗名、店舗ＩＤ（以下、第１店舗ＩＤという）を含む）をクーポンサイトから取得し（Ｓ１１、Ｓ１２：サービス情報取得手段）、そのクーポン情報に基づいたクーポン画面（図４参照）を表示部に表示させる（Ｓ１３）と、ブルートゥース（登録商標）による近距離無線通信を開始する（Ｓ１４：近距離無線通信制御手段）。客は、携帯端末１０の表示部に表示されたクーポン画面を店員に提示することにより、店員からクーポン画面に表われるクーポン情報に対応した料金割引等のサービスを受ける。
【００４９】
店舗無線機２０が当該店舗無線機２０の設置された店舗を特定する店舗ＩＤ（以下、第２店舗ＩＤという）をブルートゥース（登録商標）による近距離無線通信によって所定周期で送信している状況において、ブルートゥース（登録商標）による近距離無線通信を開始した携帯端末１０は、店舗無線機２０から前記第２店舗ＩＤ（第１情報）を受信する（Ｓ１５）。すると、携帯端末１０は、クーポン情報に含まれる第１店舗ＩＤと店舗無線機２０から送信された第２店舗ＩＤとが一致するか否かを判定することにより、前記第１店舗情報にて特定される、クーポン情報に対応したサービスを提供する店舗と、第２店舗情報にて特定される、店舗無線機２０が設置された店舗、即ち、客が来店した店舗とが一致するか否かを判定する（Ｓ１６：判定手段）。その後、携帯端末１０は、ブルートゥース（登録商標）による近距離無線通信を終了させるとともに、表示部でのクーポン画面の表示も終了させる（Ｓ１８）。
【００５０】
携帯端末１０は、前記第１店舗情報にて特定される、クーポン情報に対応したサービスを提供する店舗と、第２店舗情報にて特定される、店舗無線機２０が設置された店舗、即ち、客が来店した店舗とが一致すると判定すると（Ｓ１６でＹＥＳ）、クーポンＩＤを含むクーポン利用通知（第２情報）を移動体通信網（ホットスポット１１０を含む）及びインターネット１００を介して管理サーバ５０に送信する（Ｓ１７：情報送信手段）。このクーポン利用通知を携帯端末１０から受信した管理サーバ５０は、クーポン利用管理テーブル（図２Ｂ参照）において、前記クーポン利用通知に含まれるクーポンＩＤに対応するカウント値ｎを＋１だけインクリメントする（管理処理手段）。
【００５１】
一方、携帯端末１０は、前記クーポン情報に対応したサービスを提供する店舗と、客が来店した店舗とが一致しないと判定すると（Ｓ１６でＮＯ）、前記クーポン利用通知を管理サーバ５０に送信することなく、ブルートゥース（登録商標）による近距離無線通信を終了させるとともに、前記表示部でのクーポン画面の表示も終了させる（Ｓ１８）。よって、この場合、前記クーポン利用通知を受けることのない管理サーバ５０は、クーポン情報の利用回数ｎのカウントアップに係る処理（管理処理）を実行しない。
【００５２】
図６に示す手順に従った動作を行うサービスシステムによれば、前述した図３に示す手順に従った動作を行うサービスシステムと同様に、携帯端末１０のクーポン画面に含まれるボタンの操作等の煩わしい操作を客に要求することなく、管理サーバ５０は、クーポンＩＤにて特定される各クーポン情報の利用回数、即ち、実際に客を店舗に誘導する効果のあるクーポン情報の利用回数を確実に管理することができでる。
【００５３】
また、管理サーバ５０においてクーポン情報の利用回数ｎのカウントアップに係る処理（管理処理）を実行するか否かが、当該管理サーバ５０での判定結果（図３におけるＳ８参照）ではなく、携帯端末１０にて行われる、クーポン情報に対応したサービスを提供する店舗と客が来店した店舗とが一致するか否かの判定の結果に基づいて決められるので、様々な携帯端末からの情報（クーポン利用通知）を処理しなければならない管理サーバ５０でのクーポン情報の管理に係る処理量を低減させることができる。
【００５４】
なお、図３に示す手順に従った動作例の場合と同様の理由で、携帯端末１０において、クーポン情報に対応したサービスを提供する店舗と、客が来店した店舗とが一致するか否かを判定すること（Ｓ１６）を省略することもできる。
【００５５】
また、図１に示すサービスシステムは、図３に示す手順に代えて、図７に示す手順に従って動作することも可能である。図７に示す手順は、管理サーバ５０が、クーポン情報の利用回数ｎのカウントアップに係る処理（管理処理）を実行した後に、携帯端末１０に宛ててクーポン情報の利用が確認されたことを示すクーポン利用確認通知を送信すること、及び、管理サーバ５０が、クーポン情報が店舗無線機２０からの店舗ＩＤで特定される店舗で利用可能なサービスに対応したものでないと判定したときに、携帯端末１０に宛てて正しいクーポン画面が表示されていないことを示すクーポンエラー通知を送信することを特徴としている。
【００５６】
図７において、前述したの（図３におけるＳ１〜Ｓ４）と同様に、携帯端末１０は、客の操作により、クーポン情報（少なくともクーポンＩＤ、サービス内容、店舗名を含む）をクーポンサイトから取得し（Ｓ２１、Ｓ２２：サービス情報取得手段）、そのクーポン情報に基づいたクーポン画面（図４参照）を表示部に表示させて（Ｓ２３）、ブルートゥース（登録商標）による近距離無線通信を開始する（Ｓ２４：近距離無線通信制御手段）。
【００５７】
その後も前述したの（図３におけるＳ５〜Ｓ９）と同様に、ブルートゥース（登録商標）による近距離無線通信を開始した携帯端末１０は、店舗受信機２０から送信されている店舗ＩＤ（第１情報）を受信すると（Ｓ２５）、クーポン情報及び前記店舗ＩＤを含む情報（第２情報）を管理サーバ５０に送信し（Ｓ２６：情報送信手段）、管理サーバ５０は、前記クーポン情報に含まれるクーポンＩＤで特定されるクーポン情報が前記店舗ＩＤで特定される店舗で利用可能なサービスに対応していると判定すると（Ｓ２８でＹＥＳ）、クーポン情報の利用回数ｎのカウントアップに係る処理（管理処理）を実行する（Ｓ２９）。
【００５８】
その後、管理サーバ５０は、携帯端末１０の表示部に表示されたクーポン画面に表われるクーポン情報の利用が確認されたことを示すクーポン利用確認通知をインターネット１００及び移動体通信網（ホットスポット１１０を含む）を介して携帯端末１０に送信する（Ｓ３０：確認情報送信手段）。前記クーポン利用確認通知を受信した携帯端末１０は、そのクーポン利用確認通知に基づいて、表示部に、例えば、図８Ａに示すような、クーポン利用確認画面を表示させる（Ｓ３１：確認表示制御手段）。
【００５９】
一方、管理サーバ５０は、前記クーポン情報に含まれるクーポンＩＤで特定されるクーポン情報が前記店舗ＩＤで特定される店舗で利用可能なサービスに対応していないと判定すると（Ｓ２８でＮＯ）、客が提示したクーポン画面に表われるクーポン情報は、当該店舗が提供するサービスに対応していないことを示すクーポンエラー通知をインターネット１００及び移動体通信網（ホットスポット１１０を含む）を介して携帯端末１０に送信する（Ｓ３２）。前記クーポンエラー通知を受信した携帯端末１０は、そのクーポンエラー通知に基づいて、表示部に、例えば、図８Ｂに示すような、提示されたクーポン情報が利用できないことを示すクーポンエラー画面を表示させる（Ｓ３３）。
【００６０】
図７に示す手順に従って動作するサービスシステムを利用した場合、店員が、携帯端末１０の表示部に表示されたクーポン画面（図４参照）がクーポン利用確認画面（図８Ａ参照）に切り替わったことを確認した後に、前記クーポン画面に表われるクーポン情報に対応した料金割引等のサービスを来店した客に提供することができる。
【００６１】
図７に示す手順に従った動作を行うサービスシステムによれば、前述した図３に示す手順に従った動作を行うサービスシステムと同様に、携帯端末１０のクーポン画面に含まれるボタンの操作等の煩わしい操作を客に要求することなく、管理サーバ５０は、クーポンＩＤにて特定される各クーポン情報の利用回数、即ち、実際に客を店舗に誘導する効果のあるクーポン情報の利用回数を確実に管理することができでる。
【００６２】
また、店舗の店員は、客の携帯端末１０の表示部がクーポン画面からクーポン利用確認画面に切り替わることを確認することにより、当該サービスシステムが正常に機能していることを確認することができる。即ち、実際に客を店舗に誘導する効果のあるクーポン情報の利用回数が確実に管理されていることを確認することができる。また、店舗の店員は、客の携帯端末１０の表示部のクーポン画面に表われるクーポン情報が当該店舗で提供しているサービスに対応するものであるか否かを、前記クーポン画面からクーポン利用確認画面への切り替わり、及び前記クーポン画面からクーポンエラー画面への切り替わりのいずれかであるかによって容易に判断することができる。
【００６３】
更に、図１に示すサービスシステムは、図６に示す手順に代えて、図９に示す手順に従って動作することも可能である。図９に示す手順は、図７に示す手順の場合と同様に、管理サーバ５０が、クーポン情報の利用回数ｎのカウントアップに係る処理（管理処理）を実行した後に、携帯端末１０に宛ててクーポン情報の利用が確認されたことを示すクーポン利用確認通知を送信することを特徴とし、また、携帯端末１０が、クーポン情報に対応したサービスを提供する店舗と、店舗無線機２０が設置された店舗、即ち、客が来店した店舗とが一致しなかったと判定したときに、クーポンエラー画面を表示することを特徴としている。
【００６４】
図９において、携帯端末１０、店舗無線機２０及び管理サーバ５０は、図６に示す手順に従った動作（Ｓ１１〜Ｓ１７）と同様に動作する（Ｓ４１〜Ｓ４７）。その過程で、携帯端末１０は、取得したクーポン情報（Ｓ４２参照）に含まれる第１店舗ＩＤと、ブルートゥース（登録商標）による近距離無線通信によって店舗無線機２０から受信した第２店舗ＩＤとが一致するか否かを判定することにより、前記第１店舗情報にて特定される、クーポン情報に対応したサービスを提供する店舗と、第２店舗情報にて特定される、店舗無線機２０が設置された店舗、即ち、客が来店した店舗とが一致するか否かを判定する（Ｓ４６：判定手段）。携帯端末１０は、クーポン情報に対応したサービスを提供する店舗と、客が来店した店舗とが一致すると判定すると（Ｓ４６でＹＥＳ）、クーポンＩＤを含むクーポン利用通知を管理サーバ５０に送信し（Ｓ４７）、そのクーポン利用通知を受信した管理サーバ５０は、クーポン情報の利用回数ｎのカウントアップに係る処理（管理処理）を実行する（Ｓ４９）。
【００６５】
その後、管理サーバ５０は、図７に示す手順に従った動作の場合と同様に、携帯端末１０に宛ててクーポン情報の利用が確認されたことを示すクーポン利用確認通知を送信し（Ｓ５０：確認情報送信手段）、そのクーポン利用確認通知を受信した携帯端末１０は、表示部に表示されたクーポン画面（図４参照）をクーポン利用確認画面（図８Ａ参照）に切り替える（Ｓ５１：確認表示制御手段）。一方、携帯端末１０は、クーポン情報に対応したサービスを提供する店舗と、客が来店した店舗とが一致しないと判定すると（Ｓ４６でＮＯ）、表示部に表示されたクーポン画面（図４参照）を、提示されたクーポン情報が利用できないことを示すクーポンエラー画面（図８Ｂ参照）に切り替える（Ｓ５２）。
【００６６】
図９に示す手順に従った動作を行うサービスシステムによれば、前述した図６に示す手順に従った動作を行うサービスシステムと同様に、携帯端末１０のクーポン画面に含まれるボタンの操作等の煩わしい操作を客に要求することなく、管理サーバ５０は、クーポンＩＤにて特定される各クーポン情報の利用回数、即ち、実際に客を店舗に誘導する効果のあるクーポン情報の利用回数を確実に管理することができでる。
【００６７】
また、図９に示す手順に従った動作を行うサービスシステムによれば、図７に示す手順に従った動作を行うサービスシステムと同様に、携帯端末１０の表示部に表示されたクーポン画面（図４参照）がクーポン利用確認画面（図８Ａ参照）またはクーポンエラー画面（図８Ｂ参照）に切り替わることに基づいた効果を得ることができる。
【００６８】
なお、図３、図６、図７及び図９のそれぞれに示す手順に従った動作を行う図１に示すサービスシステムにおいて、携帯端末１０は、クーポン情報を、管理サーバ５０が提供するクーポンサイトから取得するのではなく、他のサーバが提供するクーポンサイトから取得することもできる。また、前記クーポン情報は、記録媒体（例えば、ＳＤカード等）を介して携帯端末１０に提供することもできる。
【００６９】
本発明の第２の実施の形態に係るサービスシステムは、図１０に示すように構成される。
【００７０】
図１０において、このサービスシステムは、スマートフォン等の携帯端末１０、店舗Ｓ内の所定の場所（例えば、会計場所の近傍）に設置された店舗端末３０及び管理サーバ５０（管理装置）から構成される。携帯端末１０と店舗端末２０とは、ブルートゥース（登録商標）による近距離無線通信を行うことができる。当該ブルートゥース（登録商標）による近距離無線通信では、携帯端末１０がマスター（またはペリフェラル）として機能し、店舗端末３０がスレーブ（またはセントラル）として機能する。店舗端末３０は、インターネット１００等の所定のネットワークを介して管理サーバ５０との通信が可能である。携帯端末１０は、当該サービスシステムに適合したアプリケーションソフトウェア（プログラム）に従って動作する。また、店舗端末３０も、当該サービスシステムに適合したプログラムに従って動作する。
【００７１】
管理サーバ５０は、前述したサービスシステム（図１参照）と同様に、クーポン情報管理テーブル（図２Ａ参照）及びクーポン利用管理テーブル（図２Ｂ参照）を有し、それらの管理テーブルを用いて管理処理を行う。
【００７２】
このサービスシステムは、図１１に示す手順に従って動作する。
【００７３】
図１１において、店舗Ｓに来店した客の操作により、携帯端末１０は、所定のサーバ（管理サーバ５０であっても、管理サーバ５０以外のサーバであってもよい）が提供するクーポンサイトにアクセスし、当該店舗Ｓにて受けることのできるサービスに対応したクーポン情報（クーポンＩＤ、サービス内容、店舗名、店舗ＩＤ（以下、第１店舗ＩＤという）を含む）を取得する（Ｓ６１、Ｓ６２：サービス情報取得手段）。そして、携帯端末１０は、受信したクーポン情報に基づいたクーポン画面（図４参照）を表示部に表示させ（Ｓ６３）、その後、ブルートゥース（登録商標）による近距離無線通信を開始する（Ｓ６４）。前述した例（図１に示すサービスシステムを用いた例）と同様に、客は、携帯端末１０の表示部に表示されたクーポン画面を店員に提示することにより、店員からクーポン画面に表われるクーポン情報に対応した料金割引等のサービスを受ける。
【００７４】
携帯端末１０は、開始されたブルートゥース（登録商標）による近距離無線通信によって順次クーポン情報（第１情報：少なくとも第１店舗ＩＤを含む）を送信し（Ｓ６５：第１情報送信手段）、その過程で、携帯端末１０の近傍にある店舗端末３０が携帯端末１０からのクーポン情報を受信する（Ｓ６５）。なお、携帯端末１０から送信されたクーポン情報が店舗端末３０にて受信されると、携帯端末１０は、ブルートゥース（登録商標）による近距離無線通信を終了させるとともに、表示部でのクーポン画面の表示も終了させる（Ｓ６６）。
【００７５】
前記クーポン情報（第１情報）を受信した店舗端末３０は、該クーポン情報に含まれる第１店舗ＩＤと、店舗端末３０内に予め設定された当該店舗端末３０の設置された店舗を特定する店舗ＩＤ（以下、第２店舗ＩＤ）とが一致するか否かを判定することにより、前記第１店舗情報にて特定される、クーポン情報に対応したサービスを提供する店舗と、第２店舗情報にて特定される、店舗端末３０が設置された店舗、即ち、客が来店した店舗とが一致するか否かを判定する（Ｓ６７：判定手段）。前記第１店舗情報にて特定される、クーポン情報に対応したサービスを提供する店舗と、第２店舗情報にて特定される、店舗無線機２０が設置された店舗、即ち、客が来店した店舗とが一致すると判定すると（Ｓ６７でＹＥＳ）、店舗端末３０は、クーポンＩＤを含むクーポン利用通知（第２情報）をインターネット１００を介して管理サーバ５０に送信する（Ｓ６８：第２情報送信手段）。このクーポン利用通知を店舗端末３０から受信した管理サーバ５０は、クーポン利用管理テーブル（図２Ｂ参照）において、前記クーポン利用通知に含まれるクーポンＩＤに対応するカウント値ｎを＋１だけインクリメントする（Ｓ６９：管理処理手段）。
【００７６】
一方、店舗端末３０は、前記クーポン情報に対応したサービスを提供する店舗と、客が来店した店舗とが一致しないと判定すると（Ｓ６７でＮＯ）、前記クーポン利用通知を管理サーバ５０に送信しない。よって、この場合、前記クーポン利用通知を受けることのない管理サーバ５０は、クーポン情報の利用回数ｎのカウントアップに係る処理（管理処理）を実行しない。
【００７７】
図１１に示す手順に従った動作を行うサービスシステム（図１０参照）によれば、前述した図３、図６、図７及び図９のそれぞれに示す動作を行うサービスシステム（図１参照）の場合と同様に、携帯端末１０のクーポン画面に含まれるボタンの操作等の煩わしい操作を客に要求することなく、管理サーバ５０は、クーポンＩＤにて特定される各クーポン情報の利用回数、即ち、実際に客を店舗に誘導する効果のあるクーポン情報の利用回数を確実に管理することができでる。
【００７８】
また、管理サーバ５０においてクーポン情報の利用回数ｎのカウントアップに係る処理（管理処理）を実行するか否かが、当該管理サーバ５０での判定結果ではなく、店舗端末３０にて行われる、クーポン情報に対応したサービスを提供する店舗と客が来店した店舗とが一致するか否かの判定の結果に基づいて決められるで、様々な店舗に設置された店舗端末からの情報（クーポン利用通知）を処理しなければならない管理サーバ５０でのクーポン情報の管理に係る処理量を低減させることができる。
【００７９】
なお、図３に示す手順に従った動作例の場合と同様の理由で、店舗端末３０において、クーポン情報に対応したサービスを提供する店舗と、客が来店した店舗とが一致するか否かを判定すること（Ｓ６７）を省略することもできる。
【００８０】
また、図１０に示すサービスシステムは、図１１に示す手順に代えて、図１２に示す手順に従って動作することも可能である。図１２に示す手順は、管理サーバ５０が、携帯端末のクーポン画面に表われるクーポン情報が店舗端末の設置された店舗で利用可能なサービスに対応したものであるか否かを判定することを特徴としている。
【００８１】
図１２において、前述したの（図１１におけるＳ６１〜Ｓ６５）と同様に、携帯端末１０は、客の操作により、クーポン情報（クーポンＩＤ、サービス内容、店舗名を含む）をクーポンサイトから取得し（Ｓ７１、Ｓ７２：サービス情報取得手段）、そのクーポン情報に基づいたクーポン画面（図４参照）を表示部に表示せた（Ｓ７３）後、ブルートゥース（登録商標）による近距離無線通信を開始して（Ｓ７４）、前記クーポン情報（第１情報：少なくともクーポンＩＤを含む）を送信する（Ｓ７５：第１情報送信手段）。なお、前記クーポン情報が店舗端末３０で受信されると、携帯端末１０は、前記クーポン画面の表示を終了させるとともに、ブルートゥース（登録商標）による近距離無線通信を終了させる（Ｓ７６）。
【００８２】
携帯端末１０の近傍にある店舗端末３０は、前記クーポン情報を受信すると（Ｓ７５）、そのクーポン情報及び当該店舗端末３０が設置された店舗を特定する店舗ＩＤを含む情報（第２情報）をインターネット１００を介して管理サーバ５０に送信する（Ｓ７７：第２情報送信手段）。管理サーバ５０は、店舗端末３０からクーポン情報及び店舗ＩＤを受信すると、クーポン情報管理テーブル（図２Ａ参照）において、前記クーポン情報に含まれるクーポンＩＤと前記店舗ＩＤとが対応しているか否かを判定することにより、前記クーポン情報が前記店舗ＩＤで特定される店舗で利用可能なサービスに対応したものであるか否かを判定する（Ｓ７８：判定手段）。前記クーポン情報が前記店舗ＩＤで特定される店舗で利用可能なサービスに対応したものであると判定すると（Ｓ７８でＹＥＳ）、管理サーバ５０は、クーポン利用管理テーブル（図２Ｂ参照）において、前記クーポン利用通知に含まれるクーポンＩＤに対応するカウント値ｎを＋１だけインクリメントする（Ｓ７９：管理処理手段）。一方、前記クーポン情報が前記店舗ＩＤで特定される店舗で利用可能なサービスに対応したものでなければ（Ｓ７８でＮＯ）、管理サーバ５０でのクーポン情報の利用回数ｎのカウントアップに係る処理（管理処理）は実行されない。
【００８３】
図１２に示す手順に従った動作を行うサービスシステム（図１０参照）によれば、前述した図３、図６、図７及び図９のそれぞれに示す動作を行うサービスシステム（図１参照）の場合と同様に、携帯端末１０のクーポン画面に含まれるボタンの操作等の煩わしい操作を客に要求することなく、管理サーバ５０は、クーポンＩＤにて特定される各クーポン情報の利用回数、即ち、実際に客を店舗に誘導する効果のあるクーポン情報の利用回数を確実に管理することができでる。
【００８４】
なお、図１１及び図１２に示す手順に従った動作を行うサービスシステムにおいて、前述した例（図７及び図９参照）と同様に、管理サーバ５０が、クーポン情報の利用回数ｎのカウントアップに係る処理（管理処理）を終了させた後に、携帯端末１０の表示部にクーポン利用確認画面（図２Ａ参照）を表示させることが可能である（管理サーバ５０における確認情報送信手段、携帯端末１０における確認表示制御手段による）。また、図１１に示す手順にしたがった動作において、店舗端末３０が前記クーポン情報に対応したサービスを提供する店舗と、客が来店した店舗とが一致しないと判定した（Ｓ６７でＮＯ）ときに、店舗端末３０の制御のもと、携帯端末１０の表示部にクーポンエラー画面（図２Ｂ参照）を表示させることができる。
【００８５】
前述した各サービスシステム（図１、図１０参照）では、携帯端末１０と携帯無線機２０または店舗端末３０とは、ブルートゥース（登録商標）による近距離無線通信を行うものであったが、ブルートゥース（登録商標）以外の規格に従った近距離無線通信を行うことも可能である。
【産業上の利用可能性】
【００８６】
本発明に係るサービスシステムは、店舗に来店した客に煩わしい操作を要求することなく、サービス情報により誘導されて客が来店したことを管理することができるという効果を有し、店舗にて利用可能なサービスに対応したサービス情報を利用したサービスシステムとして有用である。
【符号の説明】
【００８７】
１０  携帯端末（スマートフォン）
２０  店舗無線機
３０  店舗端末
５０  管理サーバ
１００  インターネット
１１０  ホットスポット
【図１】
2016103136.tif 000003
【図２Ａ】
2016103136.tif 000004
【図２Ｂ】
2016103136.tif 000005
【図３】
2016103136.tif 000006
【図４】
2016103136.tif 000007
【図５】
2016103136.tif 000008
【図６】
2016103136.tif 000009
【図７】
2016103136.tif 000010
【図８Ａ】
2016103136.tif 000011
【図８Ｂ】
2016103136.tif 000012
【図９】
2016103136.tif 000013
【図１０】
2016103136.tif 000014
【図１１】
2016103136.tif 000015
【図１２】
2016103136.tif 000016